(57)【要約】【課題】ザック本体部とショルダーベルト部との連結領域を立体的にすることで、連結領域と人体との密着性を高め、ザックの背負い性を向上させたザックを提供することを目的とする。【解決手段】ザック本体部２とショルダーベルト部３との連結領域４において、ザック本体部側の連結部分２１の形状とショルダーベルト部側の連結部分３１の形状とを曲率を持った曲線状とし、前記ザック本体部側の連結部分２１の曲率を、前記ショルダーベルト部側の連結部分３１の曲率に比べて小さな曲率で形成することで、両者を一体化した際に、前記連結領域４に膨らみを与えたことを特徴とするザック。【選択図】  図１
2004275236.tif 000002
【特許請求の範囲】
【請求項１】
ザック本体部（２）とショルダーベルト部（３）との連結領域（４）において、ザック本体部側の連結部分（２１）の形状とショルダーベルト部側の連結部分（３１）の形状とを共に曲線状とし、前記ザック本体部側の連結部分（２１）の曲率を、前記ショルダーベルト部側の連結部分（３１）の曲率に比べて小さな曲率で形成することで、前記ザック本体部側の連結部分（２１）とショルダーベルト部側の連結部分（３１）とを一体化した際に、前記連結領域（４）に膨らみを与えたことを特徴とするザック。
【請求項２】
使用者の肩甲骨上部を宛がうように前記連結領域（４）を設けたことを特徴とする請求項１に記載のザック。
【発明の詳細な説明】
【０００１】
【発明の属する技術分野】
本発明はザック本体部とショルダーベルト部との連結領域に関するものであり、前記連結領域と人体との密着性を高めることでザックの背負い性（背負い感）を向上させ、肩にかかる負担を軽減したザックに関するものである。
【０００２】
【従来の技術】
一般に、登山用のザックは使用者が荷物を入れたザックを背負い、長時間にわたり登山道を歩行する為、背負い性を考えた商品が販売されている。
従来の登山用ザックにおいては、背負う人の体にパーフェクトフィットすることを目指して、ショルダーベルト部と背面部を同一部材としたザックが開示されている。しかし、このタイプのザックでは繋ぎ目がないという利点はあったが、背負い性においてはそれまでの他のザックと何ら変わる物ではなかった。
【０００３】
また、ショルダーベルト部の付け根外側が、背面部側面を通り腰部付近にまで延設されているザックも一般に知られている。このタイプのザックはショルダー部の付け根が大きくなるので、使用者の背中上部（左右の肩甲骨付近）を広範囲にわたって覆う形状にはなっているが、ショルダーベルト部の付け根外側が腰部付近にまで延設されている為、使用者の体との間に空間が生じフィットしにくいという問題があった。
【０００４】
また、（特許文献１）には、肩ベルトにパッドが取り付けられ、前記パッドは収容部に対してわずかに離間し前記肩ベルトを介して取り付けられ、前記パッドの付け根部分が曲面状に形成されていることを特徴とするザックが開示されている。このタイプのザックではパッドの付け根部分を丸くカットすることで付け根部の角度が固定されず、ある程度の範囲で肩ベルトの付け根角度が変更できるので肩ベルトを使用者の肩の傾斜に合わせることができ、肩ベルトと人体のフィット性を高めることができる。
【０００５】
【特許文献１】
特開２０００−２０１７３５号公報
【０００６】
【発明が解決しようとする課題】
しかしながら、前記（特許文献１）に記載のザックでは、収容部と肩ベルトとの連結領域が平面状であるために、曲面状である使用者の肩近傍に対して完全にフィットすることは困難である。
そこで本発明は、かかる従来の問題点に着目して発明されたもので、ザック本体部とショルダーベルト部との連結領域を立体的にすることで、連結領域と人体との密着性を高め、ザックの背負い性（背負い感）を向上させたザックを提供することを目的とする。
【０００７】
【課題を解決するための手段】
登山用ザックにおいては、使用者が荷物を入れたザックを背負い登山道を長時間にわたり歩行する為、使用者の背中によりフィットし、背負い性（背負い感）の良いザックが一般に好まれている。また、人体背面上部は肩甲骨付近を頂点に内側は平らからやや凹状に、外側は複雑な曲面状になっている。
本発明のザックでは、このようなユーザーニーズや人体形状特性からなされたものである。
請求項１に記載の発明は、ザック本体部とショルダーベルト部との連結領域において、ザック本体部側の連結部分とショルダーベルト部側の連結部分との形状を共に曲線状とし、前記ザック本体部側の連結部分の曲率を、前記ショルダーベルト部側の連結部分の曲率に比べて小さな曲率で形成することで、前記ザック本体部側の連結部分とショルダーベルト部側の連結部分とを一体化した際に、前記連結領域に膨らみを与えたことを特徴とするザックである。これによりザック本体に備えられた前記パッドは使用者の背中にフィットする。
【０００８】
請求項２に記載の発明は使用者の肩甲骨上部を宛がうように前記連結領域（４）を設けたことを特徴とする請求項１に記載のザックである。
【０００９】
【発明の実施の形態】
次に図面を用いて本発明に係るザックを詳細に説明する。図１は本発明に係るザックのショルダーベルト部近傍を人体に接する側から見た図である。
ザック本体部２及びショルダーベルト部３を構成する素材は特に限定されるものでないが、ナイロン、ポリエステル、綿等が好ましい。本実施例では材料コストや強度等を考慮して、ザック本体部２とショルダーベルト部３共にナイロンを用いた。
また、ザック本体部２とショルダーベルト部３は図１に示すように、上部５において一体に繋がっている。
【００１０】
ザック本体部２とショルダーベルト部３との連結領域４において、ザック本体部側の連結部分２１とショルダーベルト部側の連結部分３１とは共に外側に向かって凸になるよう曲線状に形成されている。ここで前記ザック本体部側の連結部分２１の曲線における曲率を、前記ショルダーベルト部側の連結部分３１の曲線における曲率に比べて小さな曲率で形成する。
ザック本体部側の連結部分２１とショルダーベルト部側の連結部分３１とを一体化すると、両連結部分の曲率半径が異なるので、前記連結領域に膨らみを与えることが可能となる。前記ザック本体部側の連結部分２１とショルダーベルト部側の連結部分３１との曲率の差が大きいいほど、一体化した際の連結領域４の膨らみも大きくすることができる。
両者を一体化する方法としては、縫着、接着、熱圧着、熱融着等が可能であるが、本実施例では縫着によって一体化した。
【００１１】
本発明で用いる曲率とは、前記の連結部分２１、３１の各曲線を一つの円弧に近似した際の前記円弧の半径である。
図２に示すように、縫着によって一体化したザック本体部２及びショルダーベルト部３に収容部１０を設けてザックとする。
【００１２】
図１では、ザック本体部２とショルダーベルト部３とが上部５において一体に繋がっている実施例を示したが、図３（ａ）に示すように中間部６において一体に繋がっていても良いし、図３（ｂ）に示すように下部７において一体に繋がっていても良い。また、図３（ｃ）に示すようにザック本体部２とショルダーベルト部３とを全くの別パーツとすることも可能である。
【００１３】
前記連結領域４が使用者の肩甲骨上部を宛がうよう配置すれば、連結領域４が肩甲骨上部の曲面を包み込むことができるので、効果的に背負い性（背負い感）を向上させることが可能となる。
ザック本体部２及びショルダーベルト部３に、スポンジやラバー等で作られた緩衝パッドを付加すれば、人体へのベルト部の食い込み等を防ぐことができ、また密着性をさらに高めることができる。
【００１４】
【発明の効果】
本発明に係るザックは、ザック本体部とショルダーベルト部との連結領域を立体的に縫製することで、連結領域と人体との密着性を高め、ザックの背負い性（背負い感）を向上させたザックとすることができる。
また、前記連結領域が使用者の肩甲骨上部を宛がうよう配置すれば、連結領域が肩甲骨上部の曲面を包み込むことができるので、効果的に背負い性を向上させることが可能となる。
【００１５】
【図面の簡単な説明】
【図１】図１は本発明に係るザックのショルダーベルト部近傍を人体に接する側から見た図である。
【図２】図２は縫着によって一体化したザック本体部及びショルダーベルト部に収容部を設けた図である。
【図３】図３は本発明に係るザックの別の実施例を示す図である。
【符号の説明】
２    ザック本体部
２１  連結部
３    ショルダーベルト部
３１  連結部
４    連結領域
５    上部
６    中央部
７    下部
１０  収容部
【図１】
2004275236.tif 000003
【図２】
2004275236.tif 000004
【図３】
2004275236.tif 000005